(57)【要約】【課題】画像を表示する際に表現可能な階調数を増加させることが可能な表示装置を提供することにある。【解決手段】実施形態に係る表示装置は、画素が設けられた表示パネルと、所定の階調で画像を表示するための画素信号に基づいて画素を駆動することによって当該画像を表示する表示制御部とを具備する。表示制御部は、画像を表示する１フレーム期間を分割した複数のサブフレーム期間のうちの第１サブフレーム期間において画素を第１輝度で駆動し、かつ、複数のサブフレーム期間のうちの第１サブフレーム期間とは異なる第２サブフレーム期間において画素を第２輝度で駆動することによって、所定の階調で画像を表示する。第１輝度と第２輝度との輝度差は、予め定められた値以下である。【選択図】図７
2020204698.tif 000002
【特許請求の範囲】
【請求項１】
画素が設けられた表示パネルと、
所定の階調で画像を表示するための画素信号に基づいて前記画素を駆動することによって当該画像を表示する表示制御部と
を具備し、
前記表示制御部は、前記画像を表示する１フレーム期間を分割した複数のサブフレーム期間のうちの第１サブフレーム期間において前記画素を第１輝度で駆動し、かつ、前記複数のサブフレーム期間のうちの前記第１サブフレーム期間とは異なる第２サブフレーム期間において前記画素を第２輝度で駆動することによって、前記所定の階調で前記画像を表示し、
前記第１輝度と前記第２輝度との輝度差は、予め定められた値以下である
表示装置。
【請求項２】
前記第１輝度と前記第２輝度との平均値は、前記所定の階調以外の階調で画像を表示する際の前記第１及び第２サブフレーム期間の各々における前記画素の輝度の平均値とは重複しない請求項１記載の表示装置。
【請求項３】
前記表示制御部は、前記画素信号に基づいて表示すべき画像の階調が予め定められた範囲内にある場合、前記画像を表示する１フレーム期間を分割した複数のサブフレーム期間のうちの第１サブフレーム期間において前記画素を第１輝度で駆動し、前記複数のサブフレーム期間のうちの前記第１サブフレーム期間とは異なる第２サブフレーム期間において前記画素を第２輝度で駆動し、当該１フレーム期間の次の１フレーム期間を分割した複数のサブフレーム期間のうちの第３サブフレーム期間において前記画素を第３輝度で駆動し、前記次の１フレーム期間を分割した複数のサブフレーム期間のうちの第３サブフレーム期間とは異なる第４サブフレーム期間において前記画素を第４輝度で駆動することによって、当該階調で前記画像を表示し、
前記第１輝度、前記第２輝度、前記第３輝度及び前記第４輝度の各々の輝度差は、前記予め定められた値以下である
請求項１記載の表示装置。
【請求項４】
前記表示制御部は、
前記画素信号に基づいて表示すべき画像の階調が予め定められた第１範囲内にあり、かつ、照度センサによって計測された前記表示装置の周辺の照度が予め定められた第２範囲内にある場合、前記第１サブフレーム期間において前記画素を前記第１輝度で駆動し、前記第２サブフレーム期間において前記画素を前記第２輝度で駆動し、前記第３サブフレーム期間において前記画素を前記第３輝度で駆動し、前記第４サブフレーム期間において前記画素を前記第４輝度で駆動し、
前記画素信号に基づいて表示すべき画像の階調が前記第１範囲内にない場合、または前記照度センサによって計測された前記表示装置の周辺の照度が前記第２範囲内にない場合、前記第１サブフレーム期間において前記画素を前記第１輝度で駆動し、前記第２サブフレーム期間において前記画素を前記第２輝度で駆動する
請求項３記載の表示装置。
【請求項５】
前記表示制御部は、前記画素を複数の輝度で駆動可能なように構成されており、前記複数の輝度のうちの第１輝度で前記画素を駆動し、かつ、前記複数の輝度のうちの第２輝度で前記画素を駆動することによって、前記第１輝度及び前記第２輝度の組み合わせに応じた階調で前記画像を表示する請求項１記載の表示装置。
【請求項６】
前記表示制御部は、５ビット以下の階調に対応する複数の輝度で前記画素を駆動可能なように構成されている請求項５記載の表示装置。
【請求項７】
前記表示パネルは、第１基板と、前記第１基板に対向する位置に配置された第２基板と、前記第１基板と前記第２基板との間に配置された液晶層とを含み、
前記表示制御部は、前記液晶層に電圧を印加することによって前記画素を駆動する
請求項６記載の表示装置。
【請求項８】
前記液晶層は、筋状構造のポリマーを含む請求項７記載の表示装置。
【請求項９】
発光色が異なる複数の発光素子と、
前記複数の発光素子からの光を前記液晶層に入射させるように、当該複数の発光素子を時分割で順次発光させる光源駆動部と
を更に具備し、
前記表示制御部は、前記液晶層に入射された光を射出するように前記画素を駆動する
請求項８記載の表示装置。
【請求項１０】
複数の画素が設けられた表示パネルと、
所定の階調で画像を表示するための画素信号に基づいて前記複数の画素を駆動することによって当該画像を表示する表示制御部と
を具備し、
前記表示制御部は、
第１階調で第１画像を表示するための画素信号に基づいて、前記第１画像を表示する１フレーム期間を分割した複数のサブフレーム期間のうちの第１サブフレーム期間において前記複数の画素の各々を第１輝度で駆動し、かつ、前記第１画像を表示する１フレーム期間を分割した複数のサブフレーム期間のうちの前記第１サブフレーム期間とは異なる第２サブフレーム期間において前記複数の画素の各々を第２輝度で駆動することによって、前記第１階調で前記第１画像を表示し、
第２階調で第２画像を表示するための画素信号に基づいて、前記第２画像を表示する１フレーム期間を分割した複数のサブフレーム期間のうちの第３サブフレーム期間において前記複数の画素の各々を第３輝度で駆動し、かつ、前記第２画像を表示する１フレーム期間を分割した複数のサブフレーム期間のうちの前記第３サブフレーム期間とは異なる第４サブフレーム期間において前記複数の画素の各々を第４輝度で駆動することによって、前記第２階調で前記第１画像を表示し、
前記第１輝度と前記第２輝度との輝度差は、予め定められた値以下であり、
前記第３輝度と前記第４輝度との輝度差は、前記予め定められた値以下であり、
前記第２サブフレーム期間が前記第１サブフレーム期間よりも後に位置する場合における前記第１輝度と前記第２輝度との大小関係は、前記第４サブフレーム期間が前記第３サブフレーム期間よりも後に位置する場合における前記第３輝度と前記第４輝度との大小関係と同一である
表示装置。
【発明の詳細な説明】
【技術分野】
【０００１】
本発明の実施形態は、表示装置に関する。
【背景技術】
【０００２】
画像を表示するための表示装置として、例えば高分子分散型液晶（ＰＤＬＣ：Polymer Dispersed Liquid Crystal）を適用した高い透過率を有する液晶表示装置（透明ディスプレイ）が知られている。
【０００３】
このような表示装置においては、画像を表示する際に比較的高い電圧（駆動電圧）を画素に印加する必要がある。
【０００４】
このため、例えば画像を表示するための制御を行う表示制御コントローラ（ドライバ）が実装されるチップサイズを抑えた場合には、限られた階調でしか画像を表示することができない。
【先行技術文献】
【特許文献】
【０００５】
【特許文献１】特開平１０−１６１６１０号公報
【特許文献２】国際公開第２００７／０４３２１４号
【発明の概要】
【発明が解決しようとする課題】
【０００６】
そこで、本発明が解決しようとする課題は、画像を表示する際に表現可能な階調数を増加させることが可能な表示装置を提供することにある。
【課題を解決するための手段】
【０００７】
実施形態に係る表示装置は、画素が設けられた表示パネルと、所定の階調で画像を表示するための画素信号に基づいて前記画素を駆動することによって当該画像を表示する表示制御部とを具備する。前記表示制御部は、前記画像を表示する１フレーム期間を分割した複数のサブフレーム期間のうちの第１サブフレーム期間において前記画素を第１輝度で駆動し、かつ、前記複数のサブフレーム期間のうちの前記第１サブフレーム期間とは異なる第２サブフレーム期間において前記画素を第２輝度で駆動することによって、前記所定の階調で前記画像を表示する。前記第１輝度と前記第２輝度との輝度差は、予め定められた値以下である。
【図面の簡単な説明】
【０００８】
【図１】実施形態に係る表示装置の構成例を示す平面図。
【図２】表示装置の断面構造の一例を示す図。
【図３】表示装置の概略構成について説明するための図。
【図４】画素に印加される電圧と当該画素の輝度との対応関係の一例を示す図。
【図５】表示制御コントローラが表現可能な階調の一例を説明するための図。
【図６】１フレーム期間中に一定の輝度で画素を駆動する場合について説明するための図。
【図７】１フレーム期間が分割された２つのサブフレーム期間毎に異なる輝度で画素を駆動する場合について説明するための図。
【図８】画素信号の変換について説明するための図。
【図９】第１及び第２サブフレーム期間における画素の輝度の組み合わせの一例を示す図。
【図１０】フィールドシーケンシャル駆動について説明するための図。
【図１１】各階調に対応する輝度の具体例を示す図。
【図１２】各階調を表現するための第１及び第２サブフレーム期間の各々における画素の輝度の分布を示す図。
【図１３】第１及び第２サブフレーム期間における画素の平均輝度と当該平均輝度に対応する階調との対応関係を示す図。
【図１４】第１サブフレーム期間における画素の輝度と第２サブフレーム期間における画素の輝度と組み合わせに応じて表現される階調の一例を示す図。
【図１５】ＦＲＣを利用した構成について説明するための図。
【図１６】ＦＲＣを利用した構成において表現可能な階調の一例を示す図。
【図１７】ＦＲＣを利用した構成において画素毎に輝度のパターンを変更する場合について説明するための図。
【図１８】１フレーム期間を３つのサブフレーム期間に分割した場合の各階調に対応する輝度の具体例を示す図。
【図１９】１フレーム期間を３つのサブフレーム期間に分割した場合の当該３つのサブフレーム期間の各々における画素の輝度の分布を示す図。
【発明を実施するための形態】
【０００９】
以下、本実施形態について、図面を参照しながら説明する。なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一または類似した機能を発揮する構成要素には同一の参照符号を付し、重複する詳細な説明を適宜省略することがある。
【００１０】
図１は、本実施形態の表示装置ＤＳＰの構成例を示す平面図である。本実施形態においては、表示装置ＤＳＰの一例として、高分子分散型液晶（ＰＤＬＣ：Polymer Dispersed Liquid Crystal）を適用した液晶表示装置について説明する。なお、高分子分散型液晶を適用した液晶表示装置は、高い透過率を有する透明ディスプレイとして使用される。
【００１１】
図１において、第１方向Ｘ、第２方向Ｙ及び第３方向Ｚは、互いに直行しているが、９０℃以外の角度で交差していてもよい。第１方向Ｘ及び第２方向Ｙは、表示装置ＤＳＰを構成する基板の主面と平行な方向に相当する。第３方向Ｚは、表示装置ＤＳＰの厚さ方向に相当する。本実施形態においては、第１方向Ｘ及び第２方向Ｙで規定されるＸ−Ｙ平面を見ることを平面視という。
【００１２】
図１に示す表示装置ＤＳＰは、表示パネルＰＮＬ、配線基板１、表示制御コントローラ２及び複数の発光素子ＬＤを備える。
【００１３】
表示パネルＰＮＬは、第１基板ＳＵＢ１、第２基板ＳＵＢ２、液晶層ＬＣ及びシールＳＥ等を備える。第１基板ＳＵＢ１及び第２基板ＳＵＢ２は、Ｘ−Ｙ平面と平行な平板状に形成されている。第１基板ＳＵＢ１及び第２基板ＳＵＢ２は、互いに対向する位置に配置され、シールＳＥによって接着されている。液晶層ＬＣは、第１基板ＳＵＢ１と第２基板ＳＵＢ２との間に保持（配置）され、シールＳＥによって封止されている。
【００１４】
図１において拡大して模式的に示すように、液晶層ＬＣ（高分子分散型液晶）は、ポリマー３１及び液晶分子３２を含む。
【００１５】
ポリマー３１は、筋状構造の液晶性ポリマーである。具体的には、ポリマー３１は、第１方向Ｘに沿って延出した筋状に形成され、第２方向Ｙに並んでいる。液晶分子３２は、ポリマー３１の隙間に分散され、その長軸が第１方向Ｘに沿うように配向される。ポリマー３１及び液晶分子３２の各々は、光学異方性あるいは屈折率異方性を有している。ポリマー３１の電界に対する応答性は、液晶分子３２の電界に対する応答性より低い。
【００１６】
また、ポリマー３１の配向方向は、電界の有無にかかわらずほとんど変化しない。一方、液晶分子３２の配向方向は、液晶層ＬＣにしきい値以上の高い電圧が印加された状態では、電界に応じて変化する。液晶層ＬＣに電圧が印加されていない状態では、ポリマー３１及び液晶分子３２のそれぞれの光軸は互いに平行であり、液晶層ＬＣに入射した光は、当該液晶層ＬＣ内でほとんど散乱されることなく透過する（透明状態）。液晶層ＬＣに電圧が印加された状態では、ポリマー３１及び液晶分子３２のそれぞれの光軸が互いに交差し、液晶層ＬＣに入射した光は、当該液晶層ＬＣ内で散乱される（散乱状態）。
【００１７】
表示パネルＰＮＬは、画像を表示する表示領域ＤＡ及び当該表示領域ＤＡを囲む額縁状の非表示領域ＮＤＡを備える。シールＳＥは、非表示領域ＮＤＡに位置している。表示領域ＤＡは、第１方向Ｘ及び第２方向Ｙにマトリクス状に配列された画素ＰＸを備えている。画素ＰＸは、スイッチング素子等を備える。スイッチング素子は、例えば薄膜トランジスタ（ＴＦＴ：Thin Film Transistor）によって構成され、走査線Ｇ及び信号線Ｓと電気的に接続される。
【００１８】
配線基板１は、第１基板ＳＵＢ１の延出部Ｅｘに実装されている。延出部Ｅｘは、第１基板ＳＵＢ１のうち第２基板ＳＵＢ２と重畳しない部分に相当する。配線基板１は、例えば折り曲げ可能なフレキシブルプリント回路基板である。この配線基板１には、表示制御コントローラ２が実装されている。表示制御コントローラ２は、例えばＩＣチップとして実現されており、所定の階調で画像を表示するための画素信号に基づいて画素ＰＸを駆動する。表示制御コントローラ２は、このように画素ＰＸを駆動することによって、画像を表示パネルＰＮＬ（表示領域ＤＡ）に表示する。なお、表示制御コントローラ２（ＩＣチップ）は、延出部Ｅｘに実装されていてもよい。
【００１９】
複数の発光素子（光源）ＬＤは、平面視で延出部Ｅｘに重畳する位置に配置されている。複数の発光素子ＬＤの各々は、例えば発光ダイオード（ＬＥＤ：Light Emitting Diode）であり、第１方向Ｘに沿って間隔をおいて並んでいる。また、複数の発光素子ＬＤは、発光色が異なる発光素子を備えている。具体的には、複数の発光素子ＬＤは、例えば赤色を発光する赤色発光素子（赤色光源）、緑色を発光する緑色発光素子（緑色光源）及び青色を発光する青色発光素子（青色光源）を備える。複数の発光素子ＬＤは、第２基板ＳＵＢ２の端部Ｅ２１に沿って配置され、当該端部Ｅ２１に向けて光を出射する。端部Ｅ２１は、平面視において、第１方向Ｘに沿って延出している。なお、複数の発光素子ＬＤとしては、例えばレーザダイオード（ＬＤ：Laser Diode）等が用いられてもよい。
【００２０】
図２は、本実施形態の表示装置ＤＳＰの断面構造の一例を示す。なお、図２において、表示パネルＰＮＬは主要部のみが示されている。
【００２１】
第１基板ＳＵＢ１は、透明基板１０及び画素電極ＰＥを備える。画素電極ＰＥは、画素ＰＸ毎に設けられている。
【００２２】
第２基板ＳＵＢ２は、透明基板２０及び共通電極ＣＥを備える。共通電極ＣＥは、複数の画素ＰＸに亘って配置され、第３方向Ｚにおいて複数の画素電極ＰＥと対向している。
【００２３】
第１基板ＳＵＢ１及び第２基板ＳＵＢ２の間には、シールＳＥによって封止された液晶層ＬＣが位置している。
【００２４】
なお、図２においては、画素ＰＸが備えるスイッチング素子、当該スイッチング素子に接続される走査線及び信号線、画素電極ＰＥを覆う配向膜及び共通電極ＣＥを覆う配向膜等については省略されている。
【００２５】
表示パネルＰＮＬは、更に、透明基板３０を備えている。透明基板３０は、透明な接着層ＡＤにより透明基板２０に接着されている。なお、透明基板３０は、省略してもよい。
【００２６】
透明基板１０、透明基板２０及び透明基板３０は、ガラス基板やプラスチック基板等の絶縁基板であり、同等の屈折率を有している。また、接着層ＡＤは、透明基板１０、透明基板２０及び透明基板３０と同等の屈折率を有している。
【００２７】
透明基板１０は側面１０Ｃを有し、透明基板２０は側面２０Ｃを有し、透明基板３０は側面３０Ｃを有している。側面２０Ｃは、図１に示した第２基板ＳＵＢ２の端部Ｅ２１に相当する。延出部Ｅｘは、第２方向Ｙに沿って側面１０Ｃと側面２０Ｃとの間の領域に相当する。側面３０Ｃは、側面２０Ｃの直上に位置している。
【００２８】
発光素子ＬＤは、図２に示すように、第２方向Ｙにおいて側面２０Ｃ及び側面３０Ｃと対向している。発光素子ＬＤは、配線基板Ｆに電気的に接続されている。なお、発光素子ＬＤと、側面２０Ｃ及び側面３０Ｃとの間には、透明な導光体が配置されてもよい。
【００２９】
次に、発光素子ＬＤから出射される光Ｌについて説明する。図２に示すように、発光素子ＬＤは、側面２０Ｃ及び側面３０Ｃに向けて光Ｌを出射する。発光素子ＬＤから出射された光Ｌは、第２方向Ｙを示す矢印の向きに沿って進行し、側面２０Ｃから透明基板２０に入射するとともに、側面３０Ｃから透明基板３０に入射する。透明基板２０及び透明基板３０に入射した光Ｌは、繰り返し反射されながら、表示パネルＰＮＬの内部を進行する。電圧が印加されていない液晶層ＬＣに入射した光Ｌは、ほとんど散乱されることなく液晶層ＬＣを透過する。また、電圧が印加された液晶層ＬＣに入射した光Ｌは、液晶層ＬＣで散乱される。
【００３０】
すなわち、高分子分散型液晶を適用した液晶表示装置（表示装置ＤＳＰ）が透明基板１０側または透明基板３０側から観察された場合、液晶層ＬＣ（画素電極ＰＥ及び共通電極ＣＥ）に所定の電圧が印加されていない状態（電圧無印加状態）では、透明基板１０、液晶層ＬＣ、透明基板２０及び透明基板３０を透過した光が視認される。一方、液晶層ＬＣ（画素電極ＰＥ及び共通電極ＣＥ）に所定の電圧が印加されている状態（電圧印加状態）では、液晶層ＬＣが高い散乱性を得ることによって、当該液晶層ＬＣにおいて散乱されて射出された発光素子ＬＤからの光が視認される。
【００３１】
ここでは、電圧印加状態で液晶層ＬＣが高い散乱性を得るものとして説明したが、例えば電圧印加状態でポリマー３１及び液晶分子３２のそれぞれの光軸が互いに平行となるようにしておくことで、電圧無印加状態で液晶層ＬＣが高い散乱性を得るような構成とすることも可能である。
【００３２】
次に、図３を参照して、本実施形態に係る表示装置ＤＳＰの概略構成について説明する。
【００３３】
図３に示すように、表示装置ＤＳＰは上記した表示領域ＤＡを有し、当該表示領域ＤＡには、複数の画素ＰＸがマトリクス状に配置（配列）されている。
【００３４】
また、表示装置ＤＳＰは、走査回路４１、信号出力回路４２、共通電極駆動回路４３及び光源（ＬＥＤ）駆動回路４４を備える。
【００３５】
更に、表示領域ＤＡには、複数の画素ＰＸの行方向に沿って延伸する複数の走査線（ゲート線）Ｇと、当該複数の画素ＰＸの列方向に沿って延伸する複数の信号線（ソース線）Ｓと、当該複数の走査線Ｇと並行して延伸する電源線Ｐが更に配置されている。
【００３６】
複数の画素ＰＸの各々は、複数の走査線Ｇの各々と複数の信号線Ｓの各々との交点に配置されている。
【００３７】
ここで、画素ＰＸの構成について説明する。図３に示すように、画素ＰＸは、画素トランジスタ（スイッチング素子）ＳＷ及び液晶素子ＬＥ等を備える。
【００３８】
画素トランジスタＳＷのゲート電極は、対応する走査線Ｇと電気的に接続されている。画素トランジスタＳＷのソース電極及びドレイン電極の一方は、対応する信号線Ｓと電気的に接続されている。画素トランジスタＳＷのソース電極及びドレイン電極の他方は、対応する液晶素子ＬＥと電気的に接続されている。以下の説明においては、信号線Ｓに画素トランジスタＳＷのソース電極が接続されており、液晶素子ＬＥに画素トランジスタＳＷのドレイン電極が接続されているものとする。
【００３９】
なお、図３においては示されていないが、液晶素子ＬＥは、液晶層ＬＣ、画素電極ＰＥ及び共通電極ＣＥを有する。画素電極ＰＥは画素トランジスタＳＷのドレイン電極と接続され、共通電極ＣＥは電源線Ｐと接続されている。また、本実施形態において液晶層ＬＣは高分子分散型液晶を含み、液晶素子ＬＥ（表示素子）は、例えば１８０Ｈｚ程度のリフレッシュレート（フレームレート）で画像（映像）を表示するような高速駆動が可能であるものとする。
【００４０】
画素ＰＸ（液晶素子ＬＥ）は、画素電極ＰＥ及び共通電極ＣＥに所定の電圧が印加されることにより当該画素電極ＰＥと当該共通電極ＣＥとの間に生じる電界によって駆動される。容量ＣＳは、例えば共通電極ＣＥと同電位の電極及び画素電極ＰＥと同電位の電極の間に形成される。
【００４１】
走査回路４１は、複数の走査線Ｇと接続される。走査回路４１は、各走査線Ｇを介して、当該走査線Ｇに電気的に接続された画素トランジスタＳＷのゲート電極にオン電圧オフ電圧を印加する。画素トランジスタＳＷのゲート電極にオン電圧が印加された場合、当該画素トランジスタＳＷのソース電極−ドレイン電極間が導通する。
【００４２】
信号出力回路４２は、複数の信号線Ｓと接続される。信号出力回路４２は、各信号線Ｓを介して、各画素ＰＸに画素信号（出力信号）を供給する。これにより、画素信号は、ソース電極−ドレイン電極間が導通した画素トランジスタＳＷを介して、画素ＰＸに書き込まれる。
【００４３】
共通電極駆動回路４３は、電源線Ｐと接続される。共通電極駆動回路４３は、共通電極ＣＥに駆動信号を供給する。
【００４４】
光源駆動回路４４は、上記した表示装置ＤＳＰにおいて光源として用いられる複数の発光素子ＬＤと接続され、当該複数の発光素子ＬＤの各々を駆動する。なお、複数の発光素子ＬＤには、上記した赤色発光素子、緑色発光素子及び青色発光素子が含まれる。
【００４５】
なお、図３には示されていないが、上記した表示制御コントローラ２は、表示装置ＤＳＰの動作を制御するために、走査回路４１、信号出力回路４２、共通電極駆動回路４３及び光源駆動回路４４等の駆動を制御する。
【００４６】
以下、本実施形態に係る表示装置ＤＳＰの動作について説明する。本実施形態に係る表示装置ＤＳＰは例えば高分子分散型液晶を適用した液晶表示装置（透明ディスプレイ）であるが、このような表示装置ＤＳＰは、他の表示装置と比較して、画素ＰＸ（液晶素子ＬＥ）に印加される電圧が高い。このため、小型化等を実現するために表示制御コントローラ２（ＩＣチップ）が実装されるチップサイズを抑制した場合には、例えば４ビット等の限られた階調でしか画像を表示することができない。そこで、本実施形態に係る表示装置ＤＳＰ（表示制御コントローラ２）は、画像を表示する際に表現可能な階調数を増加させるために以下に説明するように動作するものとする。
【００４７】
まず、本実施形態に係る表示装置ＤＳＰの画像を表示する際の動作の概要について説明する。
【００４８】
ここで、画素信号に基づいて画素ＰＸ（液晶素子ＬＥ）に印加される電圧をＶ、当該電圧Ｖが印加された場合の画素ＰＸの輝度（画素ＰＸから出力される輝度）をＬとする。この場合、電圧Ｖと輝度Ｌとは、例えば図４に示す関係を有する。これにより、本実施形態に係る表示装置ＤＳＰにおいては、画素信号に基づいて画素ＰＸ（液晶層ＬＣ）に印加される電圧Ｖを変化させることによって、当該画素ＰＸを異なる輝度Ｌで駆動することができる。表示装置ＤＳＰにおいては、複数の画素ＰＸの各々を画素信号に基づいて駆動することによって画像を表示する。
【００４９】
なお、本実施形態に係る表示装置ＤＳＰにおいて、表示制御コントローラ２は、予め定められている複数の輝度Ｌで画素ＰＸを駆動可能なように構成されている。具体的には、表示制御コントローラ２は、例えば電圧Ｖ０、Ｖ１、…、Ｖ１４、Ｖ１５の各々に応じた輝度Ｌ０、Ｌ１、…、Ｌ１４、Ｌ１５で画素ＰＸを駆動することができるものとする。
【００５０】
また、画素ＰＸの輝度Ｌは、画像を表示する際に表現可能な階調に対応している。このため、上記した表示制御コントローラ２によれば、図５に示すように、輝度Ｌ０、Ｌ１、…、Ｌ１４、Ｌ１５の各々に対応する０〜１５の階調（つまり、４ビットの階調）を表現可能である。
【００５１】
ここで、このような表示制御コントローラ２が画素信号に基づいて１フレーム期間に画像を表示する場合を想定する。例えば図６に示すように、画素信号に基づいて１フレーム期間中に輝度Ｌ１５（電圧Ｖ１５）で画素ＰＸを駆動した場合、当該画素ＰＸにおいては上記した０〜１５の階調のうち当該輝度Ｌ１５に対応する１５階調目を表現することができる。図示されていないが、輝度Ｌ１５以外の輝度Ｌで画素ＰＸを駆動した場合も同様である。すなわち、１フレーム期間中に一定の輝度Ｌで画素ＰＸを駆動した場合には、当該１フレーム期間において表現可能な階調数は１６である。
【００５２】
これに対して、本実施形態に係る表示装置ＤＳＰにおいては、図７に示すように、１フレーム期間を例えば２つのサブフレーム期間（第１サブフレーム期間及び第２サブフレーム期間）に分割し、表示制御コントローラ２は、当該サブフレーム期間毎に例えば異なる輝度Ｌ（電圧Ｖ）で画素ＰＸを駆動する。これによれば、サブフレーム期間毎の画素ＰＸの輝度Ｌの平均値（平均輝度）に対応する階調を表現することができる。
【００５３】
具体的には、図６に示すように１フレーム期間中に一定の輝度Ｌで画素ＰＸを駆動した場合には、例えば輝度Ｌ１５に対応する１５階調目または輝度Ｌ１４に対応する１４階調目の階調を表現することしかできない。これに対して、図７に示す例では、第１サブフレーム期間において画素ＰＸを輝度Ｌ１４（第１輝度）で駆動し、第２サブフレーム期間において画素ＰＸを輝度Ｌ１５（第２輝度）で駆動することによって、当該輝度Ｌ１４及び輝度Ｌ１５の平均輝度に対応する階調（つまり、１５階調目と１４階調目の間の階調）を表現することができる。なお、第１サブフレーム期間及び第２サブフレーム期間の両方において画素ＰＸを輝度Ｌ１５で駆動すれば、当該輝度Ｌ１５に対応する階調（つまり、表示制御コントローラ２が表現可能な１５階調目）を表現することもできる。同様に、第１サブフレーム期間及び第２サブフレーム期間の両方において画素ＰＸを輝度Ｌ１４で駆動すれば、当該輝度Ｌ１４に対応する階調（つまり、表示制御コントローラ２が表現可能な１４階調目）を表現することもできる。
【００５４】
このように本実施形態においては、表示制御コントローラ２が本来表現可能な０〜１５の階調に加えて、各サブフレーム期間における複数の輝度Ｌの組み合わせ（平均輝度）に対応する階調を表現することによって、画像を表示する際に表現可能な階調数を増加させるものとする。
【００５５】
なお、本実施形態において、表示制御コントローラ２は、所定の階調で画像を表示するための画素信号として例えば８ビットの画素信号を入力する。この場合、表示制御コントローラ２は、図８に示すように、８ビットの画素信号（入力信号）を、当該画素信号に基づいて表示すべき画像の階調に従って第１サブフレーム期間において画素ＰＸを駆動するための４ビットの画素信号（出力信号）と第２サブフレーム期間において画素ＰＸを駆動するための４ビットの画素信号（出力信号）に変換し、当該変換された画素信号に基づいて第１及び第２サブフレーム期間において画素ＰＸを駆動するものとする。図８においては、８ビットの画素信号の赤色成分（Ｒ）、緑色成分（Ｇ）及び青色成分（Ｂ）が、第１サブフレーム期間用の４ビットの画素信号の赤色成分（ＶＲ１）、緑色成分（ＶＧ１）及び青色成分（ＶＢ１）と、第２サブフレーム期間用の４ビットの画素信号の赤色成分（ＶＲ２）、緑色成分（ＶＧ２）及び青色成分（ＶＢ２）とに変換されることが示されている。
【００５６】
以下、上記した第１サブフレーム期間における画素ＰＸの輝度と第２サブフレーム期間における画素ＰＸの輝度との組み合わせについて説明する。
【００５７】
ここでは、上記した図５に示すように、表示制御コントローラ２が画素ＰＸを輝度Ｌ０〜Ｌ１５で駆動可能に構成されているものとし、第１サブフレーム期間における画素ＰＸの輝度をＬｉ、第２サブフレーム期間における画素ＰＸの輝度をＬｊとして説明する。
【００５８】
この場合において、第１及び第２サブフレーム期間の各々が十分短いものとすると、１フレーム期間において観測（視認）される輝度は（Ｌｉ＋Ｌｊ）／２（つまり、輝度Ｌｉ及びＬｊの平均値）となる。すなわち、本実施形態における画素ＰＸにおいて表現される階調は、第１サブフレーム期間における画素ＰＸの輝度Ｌｉ（印加電圧Ｖｉ）と第２サブフレーム期間における画素ＰＸの輝度Ｌｊ（印加電圧Ｖｊ）との組み合わせ（平均輝度）によって決まる。
【００５９】
ところで、画素ＰＸにおいて表現される階調は人間の目の特性を考慮した上で滑らかに見えるように調整することがあるため、例えば表示制御コントローラ２によって表現可能な０階調目に対応する輝度Ｌ０と２階調目に対応する輝度Ｌ２との平均値（つまり、（Ｌ０＋Ｌ２）／２）は、１階調目に相当する輝度Ｌ１と１階調目に相当する輝度Ｌ１との平均値、つまり、（Ｌ１＋Ｌ１）／２＝Ｌ１とは異なる。
【００６０】
このため、異なる平均輝度（階調）を得るための第１サブフレーム期間における画素ＰＸの輝度Ｌｉ及び第２サブフレーム期間における画素ＰＸの輝度Ｌｊ（階調）の組み合わせは、１６Ｃ２＋１６＝１３６通りとなる。具体的には、Ｌｉ≠Ｌｊの場合の重複を除いた組み合わせが１６Ｃ２通りであり、Ｌｉ＝Ｌｊの場合の組み合わせが１６通りである。
【００６１】
ここで、上記したように１３６通り存在する輝度Ｌｉ及びＬｊの組み合わせの中には、当該組み合わせにおける輝度の平均値が近い値となり、十分な階調差を得ることができない（つまり、階調が目減りし、適切に階調を表現することができない）ものがある。
【００６２】
また、最も極端な例として０階調目に対応する輝度Ｌ０と１５階調目に対応する輝度Ｌ１５とを選択した場合には、輝度差が大きいため、フリッカ（ちらつき）が視認される可能性が高い。
【００６３】
そこで、本実施形態においては、輝度Ｌｉ及びＬｊの全ての組み合わせのうち、当該組み合わせにおける平均輝度が重複せず、かつ、フリッカを避けることができる程度の輝度差（つまり、階調間の輝度差）となるように、輝度Ｌｉ及びＬｊ（の組み合わせ）を選択（決定）する。輝度Ｌｉ及びＬｊの組み合わせは、表現すべき階調毎に選択される。
【００６４】
具体的には、各階調を表現するための輝度Ｌｉ及びＬｊは、当該輝度Ｌｉ及びＬｊの平均値が当該階調以外の階調で画像を表示する際の第１及び第２サブフレーム期間の各々における画素ＰＸの輝度の平均値と重複しない（つまり、十分な階調差を維持することができる程度に予め定められた値以上の差がある）ように選択される。
【００６５】
更に、第１サブフレーム期間における画素ＰＸの輝度Ｌｉと第２サブフレーム期間における画素ＰＸの輝度Ｌｊとの輝度差は、表示制御コントローラ２が表現可能な０階調目に対応する輝度Ｌ０（最小輝度）と１５階調目に対応する輝度Ｌ１５（最大輝度）との輝度差（つまり、最大輝度差）の２０％以下、より好ましくは５％以下となるようにする。この条件を満たすためには、例えば第１サブフレーム期間における画素ＰＸの輝度Ｌｉに対応する階調と第２サブフレーム期間における画素ＰＸの輝度Ｌｊに対応する階調との階調差は２以下とすることが望ましい。
【００６６】
これによれば、第１サブフレーム期間における画素ＰＸの輝度Ｌｉ及び第２サブフレーム期間における画素ＰＸの輝度Ｌｊは、例えば図９に示すように選択される。図９に示す例では、本実施形態に係る表示装置ＤＳＰにおいて表現可能な例えば０階調目を表現する輝度Ｌｉ及びＬｊとしては、輝度Ｌ０及びＬ０が選択されている。また、本実施形態に係る表示装置ＤＳＰにおいて表現可能な例えば１階調目を表現する輝度Ｌｉ及びＬｊとしては、輝度Ｌ０及びＬ１が選択されている。他の階調については、図９に示す通りであるので、その詳しい説明を省略する。また、図９においては、第１サブフレーム期間において画素ＰＸに印加される電圧を電圧１、第２サブフレーム期間において画素ＰＸに印加される電圧を電圧２と表記している。
【００６７】
なお、図９に示すような輝度Ｌｉ及びＬｊの組み合わせを採用した場合には、表示装置ＤＳＰ（画素ＰＸ）において、０〜６３の階調（つまり、６ビットの階調）を表現することができる。図９においては、第１サブフレーム期間における画素ＰＸの輝度Ｌｉと第２サブフレーム期間における画素ＰＸの輝度Ｌｊとを互いに１段階ずつ増加させていく例が示されているが、６ビットの階調を実現するためには、例えば２階調差に対応する輝度Ｌｉ及びＬｊ（例えば、Ｌｉ＝Ｌ０、Ｌｊ＝Ｌ２等）の組み合わせを適宜選択してもよい。
【００６８】
更に、本実施形態においては、画像の疑似的な振動を避けるために、第１サブフレーム期間と第２サブフレーム期間との間の輝度変化を揃えるものとする。具体的には、例えば１フレーム期間において後に位置するサブフレーム期間（第２サブフレーム期間）における画素ＰＸの輝度は、当該１フレーム期間において前に位置するサブフレーム期間（第１サブフレーム期間）における画素ＰＸの輝度以上とする。他の１フレーム期間についても同様である。すなわち、表示装置ＤＳＰにおいて表現される０〜６３の各階調においては、「第１サブフレーム期間における画素ＰＸの輝度Ｌｉ≦第２サブフレーム期間における画素ＰＸの輝度Ｌｊ」の関係が常に成り立つように輝度Ｌｉ及びＬｊが選択されるものとする。
【００６９】
なお、第１サブフレーム期間における画素ＰＸの輝度Ｌｉと第２サブフレーム期間における画素ＰＸの輝度Ｌｊとの関係は、例えば「第１サブフレーム期間における画素ＰＸの輝度Ｌｉ≧第２サブフレーム期間における画素ＰＸの輝度Ｌｊ」であってもよい。
【００７０】
ここで、本実施形態においては、表示制御コントローラ２が０〜１５階調を表現可能に構成されているものとして説明したが、例えば当該表示制御コントローラ２が表現可能な最大階調（ここでは、１５階調目）に対応する輝度をＬＭとした場合における、当該最大階調よりも１つ下の階調に相当する輝度ＬＭ−１は、以下の式（１）を用いて式（２）のように表すことができる。  
【数１】
2020204698.tif 000003
【数２】
2020204698.tif 000004
【００７１】
なお、式（１）及び式（２）において、Ｎは１フレーム期間を分割した複数のサブフレーム期間の数（ここでは、２）、Ｍ´は１フレーム期間を複数のサブフレーム期間に分割することによって本実施形態に係る表示装置ＤＳＰにおいて表現可能な最大階調（ここでは、６３階調目）を表す。なお、表示制御コントローラ２が表現可能な最大階調に対応する輝度ＬＭ＝１とする。また、ここではガンマカーブ２．２で調整された電圧を利用するものとし、γ＝２．２とする。これによれば、式（２）を用いて、輝度ＬＭ−１を算出し、当該輝度ＬＭ−１を用いて表示制御コントローラ２が表現可能な１４階調目に対応する輝度を決定することができる。上記した式（２）で表されるＬＭ−１は、±０．０５または±０．０３等の範囲（つまり、数％の範囲）で変動しても構わない。
【００７２】
更に、輝度ＬＭ−１に対応する階調よりも下の階調に対応する輝度ＬＭ−２については、以下の式（３）を満たす範囲内の値となるように決定する。  
【数３】
2020204698.tif 000005
【００７３】
ここでは、輝度ＬＭ−２について説明したが、輝度ＬＭ−２に対応する階調よりも下の階調に対応する輝度ＬＭ−３以降についても同様に決定することができる。
【００７４】
本実施形態においては、上記したように表示すべき画像の階調に対応する輝度Ｌｉ及びＬｊを適切に選択し、第１サブフレーム期間において画素ＰＸを当該輝度Ｌｉで駆動し、第２サブフレーム期間において画素ＰＸを当該輝度Ｌｊで駆動することによって、当該輝度Ｌｉ及びＬｊの組み合わせ（つまり、平均輝度）に対応する階調を表現することができる。各階調に対応する輝度Ｌｉ及びＬｊは予め選択（決定）されていてもよいし、画素信号に応じて表示制御コントローラ２が動的に選択（決定）してもよい。
【００７５】
なお、本実施形態においては、１フレーム期間が２つのサブフレーム期間（第１及び第２サブフレーム期間）に分割される場合について説明したが、当該１フレーム期間が分割されるサブフレーム期間の数（つまり、式（１）〜（３）におけるＮ）は３以上であってもよい。この場合であっても、３以上のサブフレーム期間の各々における画素ＰＸの輝度の平均値に対応する階調を表現することが可能となる。
【００７６】
ここで、本実施形態においては、画素信号に基づく画像を表示する際の表示装置ＤＳＰの駆動方式として、フィールドシーケンシャル駆動（方式）が採用されているものとする。フィールドシーケンシャル駆動とは、各画素ＰＸにおける赤色、緑色及び青色の発光を時分割で切り替えることにより、カラー表示を実現する駆動方式である。
【００７７】
本実施形態に係る表示装置ＤＳＰは、上記したように複数の発光素子ＬＤとして赤色発光素子、緑色発光素子及び青色発光素子ＬＤを備えており、当該赤色発光素子、緑色発光素子及び青色発光素子を順次駆動することによって、フィールドシーケンシャル駆動を実現する。
【００７８】
図１０を参照して、本実施形態に係る表示装置ＤＳＰにおけるフィールドシーケンシャル駆動について簡単に説明する。
【００７９】
本実施形態においては１フレーム期間が例えば第１及び第２サブフレーム期間に分割されているところ、図１０に示すフレーム信号は、表示装置ＤＳＰの表示領域ＤＡに画像を表示する１フレーム期間及び当該１フレーム期間が分割されたサブフレーム期間を切り替えるための信号である。また、フィールド信号は、上記したフィールドシーケンシャル駆動におけるフィールドを切り替えるための信号である。
【００８０】
この場合、フレーム信号に基づく例えば第１サブフレーム期間は、フィールド信号に基づいて、赤色成分の画像（赤色のフィールド）を表示するための期間（以下、Ｒ期間と表記）、緑色成分の画像（緑色のフィールド）を表示するための期間（以下、Ｇ期間と表記）及び青色成分の画像（青色のフィールド）を表示するための期間（以下、Ｂ期間と表記）に分けられる。
【００８１】
更に、上記したＲ期間、Ｇ期間及びＢ期間はそれぞれ、画素信号を画素ＰＸに書き込むための期間（以下、書込期間と表記）と当該画素信号を画素ＰＸに保持させる期間（以下、保持期間と表記）とを含む。書込期間においては、上記した走査線Ｇを順次走査し、信号線Ｓに画素信号を印加することによって、当該画素信号が画素ＰＸに書き込まれる。また、保持期間においては、画素信号が書き込まれた状態を画素ＰＸが保持し、対応する発光素子ＬＤを発光（点灯）させる。
【００８２】
具体的には、例えば赤色発光素子を発光させた場合、液晶層ＬＣには赤色発光素子からの光（赤色の入射光）が入射される。ここで、画素ＰＸに保持されている画素信号に基づいて液晶素子ＬＥ（画素電極ＰＥ及び共通電極ＣＥ）に電圧が印加されることにより、液晶層ＬＣ内は散乱状態となり、赤色の入射光の散乱光が射出される。これにより、赤色のフィールドを表示することができる。
【００８３】
ここでは、Ｒ期間において赤色のフィールドを表示する場合について説明したが、Ｇ期間において緑色発光素子を発光させて緑色のフィールドを表示する場合及びＢ期間において青色発光素子を発光させて青色のフィールドを表示する場合についても同様である。
【００８４】
すなわち、第１サブフレーム期間においては、Ｒ期間で画素信号（赤色成分）に基づいて画素ＰＸが輝度Ｌｉで駆動され、Ｇ期間で画素信号（緑色成分）に基づいて画素ＰＸが輝度Ｌｉで駆動され、Ｂ期間で画素信号（青色成分）に基づいて画素ＰＸが輝度Ｌｉで駆動される。なお、Ｒ期間、Ｇ期間及びＢ期間の各々で画素ＰＸが駆動される際の輝度Ｌｉは、画素信号における赤色成分、緑色成分及び青色成分に応じて異なる。また、この第１サブフレーム期間において画素ＰＸを駆動するための画素信号は、上記した８ビットの画素信号から変換された第１サブフレーム期間用の４ビットの画素信号である。
【００８５】
ここでは、第１サブフレーム期間について説明したが、第２サブフレーム期間についても同様である。第２サブフレーム期間においては、Ｒ期間で画素信号（赤色成分）に基づいて画素ＰＸが輝度Ｌｊで駆動され、Ｇ期間で画素信号（緑色成分）に基づいて画素ＰＸが輝度Ｌｊで駆動され、Ｂ期間で画素信号（青色成分）に基づいて画素ＰＸが輝度Ｌｊで駆動される。なお、Ｒ期間、Ｇ期間及びＢ期間の各々で画素ＰＸが駆動される際の輝度Ｌｊは、画素信号における赤色成分、緑色成分及び青色成分に応じて異なる。また、この第２サブフレーム期間において画素ＰＸを駆動するための画素信号は、上記した８ビットの画素信号から変換された第２サブフレーム期間用の４ビットの画素信号である。
【００８６】
本実施形態においては、上記したように第１サブフレーム期間において赤色のフィールド、緑色のフィールド及び青色のフィールドを順次表示する（つまり、各色成分に基づいて画素ＰＸを順次駆動する）とともに、第２サブフレーム期間において赤色のフィールド、緑色のフィールド及び青色のフィールドを順次表示する（つまり、各色成分に基づいて画素ＰＸを順次駆動する）ことによって、色毎に画素ＰＸから出力される輝度Ｌｉ及びＬｊの平均値に対応する階調を表現する。
【００８７】
なお、液晶は交流駆動を行わなければならないため、液晶素子ＬＥに印加される電圧（以下、液晶印加電圧と表記）の極性は、サブフレーム（期間）毎に反転されるものとする。この場合、正極性（プラス極性）の各フィールドを順に表示した後、液晶印加電圧の極性を反転して、負極性（マイナス極性）の各フィールドを順に表示する反転駆動が実行される。このとき、共通電極ＣＥに印加される駆動信号は、上記した液晶印加電圧の極性に応じて、サブフレーム期間毎に反転する。
【００８８】
ここではサブフレーム毎に液晶印加電圧の極性が反転するものとして説明したが、当該極性はフレーム毎に反転してもよいし、表示ライン毎に反転してもよい。
【００８９】
図１０においては各色のフィールドを表示する第１サブフレーム期間の後に同様に各色のフィールドを表示する第２サブフレーム期間が設けられるものとして説明したが、例えば赤色のフィールドを表示する第１サブフレーム期間の後に赤色のフィールドを表示する第２サブフレーム期間を設け、緑色のフィールドを表示する第１サブフレーム期間の後に緑色のフィールドを表示する第２サブフレーム期間を設け、青色のフィールドを表示する第１サブフレーム期間の後に青色のフィールドを表示する第２サブフレーム期間を設けるようにしてもよい。
【００９０】
また、ここでは赤色のフィールド、緑色のフィールド及び青色のフィールドの順に表示する例について説明したが、表示するフィールドの色の順番（つまり、各色の発光素子の点灯順）は、適宜、入れ替えられても構わない。
【００９１】
以下、本実施形態の具体例について説明する。図１１は、表示制御コントローラ２が表現可能な０〜１５の階調の各々に対応する輝度の一例を示している。なお、図１１において、輝度は、０階調目に対応する輝度を０（％）とし、１５階調目に対応する輝度を１００（％）とした場合における他の階調に対応する輝度（％）を示している。
【００９２】
図１１に示す階調及び輝度は、例えば一般的なガンマカーブ２．２から離れ、適切な１６階調分の輝度（電圧）を決定したものであるが、当該ガンマカーブ２．２で調整された輝度（電圧）を利用しても構わない。
【００９３】
ここで、図１２は、本実施形態に係る表示装置ＤＳＰにおいて例えば０〜６３の階調を表現するために選択された第１及び第２サブフレーム期間の各々における画素ＰＸの輝度の分布を示している。上記したように第１サブフレーム期間における画素ＰＸの輝度と第２サブフレーム期間における画素ＰＸの輝度とは、当該輝度差が小さくなり、かつ、各階調に対応する輝度（平均輝度）が重複しないように選択される。
【００９４】
図１３は、図１２に示す第１及び第２サブフレーム期間における画素ＰＸの平均輝度（平均値）と当該平均輝度に対応する階調との対応関係を示している。
【００９５】
図１３の上段は各階調に対応する平均輝度を示しているが、この階調と平均輝度との対応関係に対してガンマ補正を施すことによって、図１３の下段に示すような階調を得ることができる。
【００９６】
また、図１４は、図１２に示す第１サブフレーム期間における画素ＰＸの輝度（階調）と第２サブフレーム期間における画素ＰＸの輝度（階調）との組み合わせに応じて表現される階調の一例を示している。
【００９７】
図１４においては、ハッチングが施されている部分が、本実施形態において画像を表示する際に表現される階調の階調値（つまり、各階調を表現するために選択された輝度の組み合わせ）を表している。具体的には、図１４に示す例では、例えば第１サブフレーム期間における画素ＰＸの輝度をＬ１５、第２サブフレーム期間における画素ＰＸの輝度をＬ１５とすることにより、上記した０〜６３の階調のうちの６３階調目を表現することが示されている。また、例えば第１サブフレーム期間における画素ＰＸの輝度をＬ１１、第２サブフレーム期間における画素ＰＸの輝度をＬ１０とすることにより、上記した０〜６３の階調のうちの５０階調目を表現することが示されている。なお、例えば第１サブフレーム期間における画素ＰＸの輝度をＬ１０、第２サブフレーム期間における画素ＰＸの輝度をＬ１０とした場合の階調値は４９．１であるが、この場合には４９階調目を表現するものとする。他の階調についても同様である。
【００９８】
また、図１４に示す階調値のうち、ハッチングが施されていない部分の階調値（第１サブフレーム期間における画素ＰＸの輝度及び第２サブフレーム期間における画素ＰＸの輝度の組み合わせ）は、第１及び第２サブフレーム期間における画素ＰＸの輝度間の輝度差が大きい、または他の階調値と重複する等の理由によって利用（採用）されない階調値である。
【００９９】
なお、図１４に示す本実施形態において画像を表示する際に表現される階調（値）は、例えば上位階調（高階調）を優先して第１及び第２サブフレーム期間の各々における画素ＰＸの輝度（つまり、輝度の組み合わせ）を選択（決定）したものである。なお、例えば発光素子ＬＤの最大輝度等によっては、下位階調（低階調）を優先して輝度を選択する場合もあり得る。
【０１００】
ここで、上記したように上位階調を優先して第１及び第２サブフレーム期間における画素ＰＸの輝度を決定した場合、図１３及び図１４に示すように、下位階調においては表現することができない部分（階調）が存在する。
【０１０１】
このような場合には、表現可能な階調数を更に増加させるために、ＦＲＣ（Frame Rate Control）を利用するものとする。なお、ＦＲＣは、複数の１フレーム期間で１つの階調を表現する手法である。
【０１０２】
このＦＲＣを利用した場合、図１５に示すように、例えば２つの１フレーム期間（つまり、２組の第１及び第２サブフレーム期間）で１つの階調を表現することができる。
【０１０３】
具体的には、図１５に示す例では、１フレーム期間を分割した第１サブフレーム期間において画素ＰＸを輝度Ｌ１（第１輝度）で駆動し、第２サブフレーム期間において画素ＰＸを輝度Ｌ１（第２輝度）で駆動するとともに、当該１フレーム期間の次の１フレーム期間を分割した第１サブフレーム期間（第３サブフレーム期間）において画素ＰＸを輝度Ｌ１（第３輝度）で駆動し、第２サブフレーム期間（第４サブフレーム期間）において画素ＰＸを輝度Ｌ２（第４輝度）で駆動することによって、画素信号に基づく所定の階調で画像を表示する。
【０１０４】
これによれば、１フレーム期間（第１及び第２サブフレーム期間）のみでは輝度Ｌ１及びＬ２の平均輝度（つまり、（Ｌ１＋Ｌ２）／２）に対応する階調を表現することしかできないが、２つの１フレーム期間で１つの階調を表現する場合には、輝度Ｌ１、Ｌ１、Ｌ１及びＬ２の平均輝度（つまり、（Ｌ１＋Ｌ１＋Ｌ１＋Ｌ２）／４）に対応する階調を表現することができる。
【０１０５】
上記したようにＦＲＣを利用した構成を採用した場合には、図１３に示す階調と比較して、図１６に示すような階調を表現することができる。
【０１０６】
すなわち、本実施形態においては、例えば画素信号に基づいて表示すべき画像の階調が下位階調である（つまり、１フレーム期間では表現できない予め定められた範囲内にある）場合には、ＦＲＣを利用することによって複数の１フレーム期間で１つの階調を表現するように動作してもよい。なお、階調を表現する１フレーム期間の数は、３以上であっても構わない。
【０１０７】
なお、例えば階調を表現する１フレーム期間の数が４つである場合には、例えば４×４画素単位で画素の各々を駆動する際の輝度のパターンを変更するようにしてもよい。ここで、例えば第１サブフレーム期間において画素ＰＸを輝度Ｌ１で駆動し、第２サブフレーム期間において画素ＰＸを輝度Ｌ１で駆動する輝度のパターンを第１輝度パターンとする。また、例えば第１サブフレーム期間において画素ＰＸを輝度Ｌ１で駆動し、第２サブフレーム期間において画素ＰＸを輝度Ｌ２で駆動する輝度のパターンを第２輝度パターンとする。
【０１０８】
この場合には、各画素ＰＸを、例えば図１７においてハッチングが付されている１フレーム期間（第１及び第２サブフレーム期間）においては第１輝度パターンで駆動し、ハッチングが付されていない１フレーム期間（第１及び第２サブフレーム期間）においては第２輝度パターンで駆動するようにしてもよい。
【０１０９】
具体的には、例えば図１７に示す４×４画素のうちの左上に位置する画素ＰＸについては、第１輝度パターン、第２輝度パターン、第２輝度パターン、第２輝度パターンの順に駆動されている。一方、図１７に示す４×４画素のうちのうちの右下の画素ＰＸについては、第２輝度パターン、第２輝度パターン、第１輝度パターン、第２輝度パターンの順に駆動されている。
【０１１０】
また、表示色が複数ある場合には、色によって輝度パターンの位相を変更してもよい。これによれば、輝度のばらつきを平滑化させることができる。
【０１１１】
ここでは、階調を表現する１フレーム期間の数が４つである場合について説明したが、当該１フレーム期間の数や輝度パターンは異なっていてもよい。
【０１１２】
ここで、本実施形態において、画素信号に基づいて表示すべき画像の階調に応じて各サブフレーム期間において画素ＰＸが駆動される際の輝度は上記したように予め選択（決定）されていればよいが、例えば表示装置ＤＳＰの周辺の環境も考慮し、フリッカが目立たない（つまり、フリッカが視認されにくい）場合にのみ上記したＦＲＣを利用する構成としてもよい。
【０１１３】
具体的には、表示装置ＤＳＰの周辺が十分に明るい場合には下位階調においてはフリッカが目立ちにくい。このため、例えば画素信号に基づいて表示すべき画像の階調が予め定められた範囲内（つまり、下位階調）にあり、かつ、照度センサ等によって計測された表示装置ＤＳＰの周辺の照度が予め定められた範囲内にある（つまり、十分に明るい）場合に、ＦＲＣを利用する構成とすることができる。なお、画素信号に基づいて表示すべき画像の階調が予め定められた範囲内にない場合、または表示装置ＤＳＰの周辺の照度が予め定められた範囲内にない場合には、上記したように１フレーム期間（第１及び第２サブフレーム期間）において当該階調を表現すればよい。
【０１１４】
上記した構成の場合、照度センサは、例えば表示装置ＤＳＰの内部に組み込まれていてもよいし、当該表示装置ＤＳＰの外部に設けられていてもよい。
【０１１５】
また、表示装置ＤＳＰの周辺が十分に明るい場合には下位階調においてはフリッカが目立ちにくいとして説明したが、フリッカが目立ちにくい階調は、他の観点から予め定められていてもよい。
【０１１６】
また、ここではＦＲＣを利用する場合について説明したが、例えばディザリング処理等を更に実行するようにしてもよい。
【０１１７】
上記したように本実施形態において、表示制御コントローラ２は、画像を表示する１フレーム期間を分割した複数のサブフレーム期間のうちの第１サブフレーム期間において画素ＰＸを第１輝度で駆動し、かつ、当該複数のサブフレーム期間のうちの第２サブフレーム期間において画素ＰＸを第２輝度で駆動することによって、画素信号に基づく所定の階調で画像を表示する。また、第１サブフレーム期間における画素ＰＸの第１輝度と第２サブフレーム期間における画素ＰＸの第２輝度との輝度差は予め定められた値以下である。
【０１１８】
すなわち、本実施形態においては、例えば２つのサブフレーム期間おける画素ＰＸの輝度の平均値に対応した階調を１フレーム期間において表現することができるため、画像を表示する際に表現可能な階調数を増加させることが可能となる。更に、第１輝度と第２輝度との輝度差を予め定められた値以下（例えば、２階調以下）とすることにより、当該輝度差に基づくフリッカが視認されることを回避することができる。
【０１１９】
また、例えば温度変化により、電圧と輝度との対応関係（電圧−輝度特性）が変化することが考えられる。しかしながら、本実施形態においては、上記した第１輝度と第２輝度との輝度差を小さくすることにより、階調反転を生じにくくすることができるとともに、各構成要素の個体差の影響等を少なくすることも可能である。
【０１２０】
なお、本実施形態において、上記した第１輝度と第２輝度との平均値は、画素信号に基づいて表現される画像の所定の階調以外の階調で画像を表示する際の第１及び第２サブフレーム期間における画素ＰＸの輝度の平均値とは重複しない（つまり、第１及び第２輝度は平均値が他の組み合わせと重複しないように選択される）。これにより、本実施形態においては、表現可能な階調数を適切に増加させることができる。
【０１２１】
更に、本実施形態において、表示制御コントローラ２は、画素信号に基づいて表示すべき画像の階調が下位階調のような予め定められた範囲内にある場合、当該画像を表示する１フレーム期間を分割した第１サブフレーム期間において画素ＰＸを第１輝度で駆動し、当該１フレーム期間を分割した第２サブフレーム期間において画素ＰＸを第２輝度で駆動し、当該１フレーム期間の次の１フレーム期間を分割した複数のサブフレーム期間のうちの第３サブフレーム期間において画素ＰＸを第３輝度で駆動し、当該次の１フレーム期間を分割した第４サブフレーム期間において画素ＰＸを第４輝度で駆動する。
【０１２２】
すなわち、本実施形態においては、例えば画素信号に基づいて表示すべき画像の階調が例えば適切に表現できない階調（例えば、上位階調を優先して輝度を選択した際の下位階調等）である場合には、ＦＲＣを利用して複数の１フレーム期間で１つの階調を表現するように動作することにより、より表現可能な階調数を増加させることが可能となる。なお、ＦＲＣを利用する場合であっても、フリッカを避けるために、複数の１フレーム期間が分割されたサブフレーム期間の各々における画素ＰＸの輝度の輝度差は予め定められた値となるようにする。
【０１２３】
ところで、ＦＲＣを利用した場合にはフリッカが目立つ（フリッカが視認されやすい）場合があるため、例えば画素信号に基づいて表示すべき画像の階調が予め定められた範囲内にあり、かつ、照度センサによって計測された表示装置ＤＳＰの周辺の照度が予め定められた範囲（つまり、フリッカが目立たない範囲）内にある場合に、上記したＦＲＣを利用する構成としてもよい。このような構成によれば、表示装置ＤＳＰの周囲の環境をも考慮して、フリッカが目立たない（フリッカが視認されにくい）階調においてのみＦＲＣを利用することができる。一方、例えば最大階調に対応する輝度（表示最大輝度）に対して表示装置ＤＳＰの周囲の環境が十分に明るい場合には、下位階調側の階調数が少なくても影響が小さい場合が多いため、ＦＲＣを利用しない構成とすることができる。
【０１２４】
また、本実施形態において、表示制御コントローラ２は、画素ＰＸを複数の輝度で駆動可能なように構成されており、当該複数の輝度のうちの第１輝度で画素ＰＸを駆動し、かつ、当該複数の輝度のうちの第２輝度で画素ＰＸを駆動することによって、当該第１及び第２輝度の組み合わせに応じた階調で画像を表示する。なお、表示制御コントローラ２は、例えば５ビット以下の階調に対応する複数の輝度で画素ＰＸを駆動可能なように構成されていればよい。
【０１２５】
本実施形態においては表示制御コントローラ２が例えば４ビットの階調を表現可能である（０〜１５の階調に対応する輝度で画素ＰＸを駆動可能である）ものとして説明したが、本実施形態によれば、このような表示制御コントローラ２を利用した場合であっても、例えば６ビット相当の階調を表現することが可能となる。
【０１２６】
また、本実施形態においては、１つ目の１フレーム期間を分割した第１サブフレーム期間において画素ＰＸを第１輝度で駆動し、当該１つ目の１フレーム期間を分割した第２サブフレーム期間において画素ＰＸを第２輝度で駆動し、次の１フレーム期間（２つ目の１フレーム期間）を分割した第３サブフレーム期間において画素ＰＸを第３輝度で駆動し、当該次の１フレーム期間を分割した第４サブフレーム期間において画素ＰＸを第４輝度で駆動した場合、第２輝度は第１輝度以上であり、第４輝度は第３輝度以上であるものとする。本実施形態においては、このように各１フレーム期間におけるサブフレーム期間の間の輝度変化（大小関係）を揃えることにより、画像の疑似的な振動を避けることができる。
【０１２７】
ここで、本実施形態においては、第１輝度と第２輝度との輝度差が予め定められた値以下であるものとして説明したが、当該輝度差が予め定められた値以下（例えば、２階調差以内）となるような第１輝度及び第２輝度を選択するのは、画素信号に基づいて表示すべき画像の階調がフリッカが目立つ階調である場合のみとしてもよい。なお、フリッカが目立つ階調は、予め定められていてもよいし、上記した照度センサによって計測される照度等に基づく表示装置ＤＳＰの周囲の環境に基づいて判別されてもよい。画素信号に基づいて表示すべき画像の階調がフリッカが目立つ階調であるか否かの判別処理、及び当該画素信号に基づいて画素ＰＸを駆動する際の輝度（の組み合わせ）の選択処理は、例えば当該画素信号が入力された際に表示制御コントローラ２によって実行されればよい。このような構成によれば、フリッカが目立つ階調においては第１輝度と第２輝度との輝度差を小さくすることで当該フリッカが視認されることを抑制することができる。また、フリッカが目立たない階調においては、第１及び第２輝度の組み合わせの選択肢が増えるため、より適切な階調表現を実現することができ、画質の向上が期待される。
【０１２８】
なお、本実施形態においては１フレーム期間を２つのサブフレーム期間（第１及び第２サブフレーム期間）に分割するものとして説明したが、当該１フレーム期間は３以上のサブフレーム期間に分割されても構わない。
【０１２９】
ここで、図１８は、１フレーム期間を３つのサブフレーム期間に分割した場合の表示制御コントローラ２が表現可能な０〜１５の階調の各々に対応する輝度の一例を示している。また、図１９は、１フレーム期間を３つのサブフレーム期間（第１〜第３サブフレーム期間）に分割した場合において、各階調を表現するために選択された第１〜第３サブフレーム期間の各々における画素ＰＸの輝度の分布を示している。図１７及び図１８に示す例によれば、１フレーム期間を３つのサブフレーム期間に分割した場合には、例えば０〜８０以上の階調（つまり、６〜７ビット相当の階調）を表現することが可能となる。
【０１３０】
このように１フレーム期間を分割したサブフレーム期間の数を増加させた場合には、更に階調数を増加させることが可能となる。
【０１３１】
なお、サブフレーム期間の数を増加させた場合であっても、例えば上記したＦＲＣを利用した構成とすることは可能である。
【０１３２】
また、本実施形態においては筋状構造のポリマー３１を含む液晶層ＬＣを有する（高分子分散型液晶が適用された）表示装置ＤＳＰについて説明したが、本実施形態は、他の液晶層を有する表示装置（液晶表示装置）に適用されてもよい。
【０１３３】
更に、本実施形態は、１フレーム期間を複数のサブフレーム期間に分割し、当該サブフレーム期間の各々において画素ＰＸを駆動することによって、表現可能な階調数を増加させるものであれば、液晶表示装置以外の表示装置（例えば、有機ＥＬ表示装置及びＬＥＤ表示装置）等に適用されても構わない。
【０１３４】
以下、本実施形態に係る発明を付記する。  
［Ｃ１］  
画素が設けられた表示パネルと、  
所定の階調で画像を表示するための画素信号に基づいて前記画素を駆動することによって当該画像を表示する表示制御部と  
を具備し、  
前記表示制御部は、前記画像を表示する１フレーム期間を分割した複数のサブフレーム期間のうちの第１サブフレーム期間において前記画素を第１輝度で駆動し、かつ、前記複数のサブフレーム期間のうちの前記第１サブフレーム期間とは異なる第２サブフレーム期間において前記画素を第２輝度で駆動することによって、前記所定の階調で前記画像を表示し、  
前記第１輝度と前記第２輝度との輝度差は、予め定められた値以下である  
表示装置。  
［Ｃ２］  
前記第１輝度と前記第２輝度との平均値は、前記所定の階調以外の階調で画像を表示する際の前記第１及び第２サブフレーム期間の各々における前記画素の輝度の平均値とは重複しない［Ｃ１］記載の表示装置。  
［Ｃ３］  
前記表示制御部は、前記画素信号に基づいて表示すべき画像の階調が予め定められた範囲内にある場合、前記画像を表示する１フレーム期間を分割した複数のサブフレーム期間のうちの第１サブフレーム期間において前記画素を第１輝度で駆動し、前記複数のサブフレーム期間のうちの前記第１サブフレーム期間とは異なる第２サブフレーム期間において前記画素を第２輝度で駆動し、当該１フレーム期間の次の１フレーム期間を分割した複数のサブフレーム期間のうちの第３サブフレーム期間において前記画素を第３輝度で駆動し、前記次の１フレーム期間を分割した複数のサブフレーム期間のうちの第３サブフレーム期間とは異なる第４サブフレーム期間において前記画素を第４輝度で駆動することによって、当該階調で前記画像を表示し、  
前記第１輝度、前記第２輝度、前記第３輝度及び前記第４輝度の各々の輝度差は、前記予め定められた値以下である  
［Ｃ１］記載の表示装置。  
［Ｃ４］  
前記表示制御部は、  
前記画素信号に基づいて表示すべき画像の階調が予め定められた第１範囲内にあり、かつ、照度センサによって計測された前記表示装置の周辺の照度が予め定められた第２範囲内にある場合、前記第１サブフレーム期間において前記画素を前記第１輝度で駆動し、前記第２サブフレーム期間において前記画素を前記第２輝度で駆動し、前記第３サブフレーム期間において前記画素を前記第３輝度で駆動し、前記第４サブフレーム期間において前記画素を前記第４輝度で駆動し、  
前記画素信号に基づいて表示すべき画像の階調が前記第１範囲内にない場合、または前記照度センサによって計測された前記表示装置の周辺の照度が前記第２範囲内にない場合、前記第１サブフレーム期間において前記画素を前記第１輝度で駆動し、前記第２サブフレーム期間において前記画素を前記第２輝度で駆動する  
［Ｃ３］記載の表示装置。  
［Ｃ５］  
前記表示制御部は、前記画素を複数の輝度で駆動可能なように構成されており、前記複数の輝度のうちの第１輝度で前記画素を駆動し、かつ、前記複数の輝度のうちの第２輝度で前記画素を駆動することによって、前記第１輝度及び前記第２輝度の組み合わせに応じた階調で前記画像を表示する［Ｃ１］記載の表示装置。  
［Ｃ６］  
前記表示制御部は、５ビット以下の階調に対応する複数の輝度で前記画素を駆動可能なように構成されている［Ｃ５］記載の表示装置。  
［Ｃ７］  
前記表示パネルは、第１基板と、前記第１基板に対向する位置に配置された第２基板と、前記第１基板と前記第２基板との間に配置された液晶層とを含み、  
前記表示制御部は、前記液晶層に電圧を印加することによって前記画素を駆動する  
［Ｃ６］記載の表示装置。  
［Ｃ８］  
前記液晶層は、筋状構造のポリマーを含む［Ｃ７］記載の表示装置。  
［Ｃ９］  
発光色が異なる複数の発光素子と、  
前記複数の発光素子からの光を前記液晶層に入射させるように、当該複数の発光素子を時分割で順次発光させる光源駆動部と  
を更に具備し、  
前記表示制御部は、前記液晶層に入射された光を射出するように前記画素を駆動する  
［Ｃ８］記載の表示装置。  
［Ｃ１０］  
複数の画素が設けられた表示パネルと、  
所定の階調で画像を表示するための画素信号に基づいて前記複数の画素を駆動することによって当該画像を表示する表示制御部と  
を具備し、  
前記表示制御部は、  
第１階調で第１画像を表示するための画素信号に基づいて、前記第１画像を表示する１フレーム期間を分割した複数のサブフレーム期間のうちの第１サブフレーム期間において前記複数の画素の各々を第１輝度で駆動し、かつ、前記第１画像を表示する１フレーム期間を分割した複数のサブフレーム期間のうちの前記第１サブフレーム期間とは異なる第２サブフレーム期間において前記複数の画素の各々を第２輝度で駆動することによって、前記第１階調で前記第１画像を表示し、  
第２階調で第２画像を表示するための画素信号に基づいて、前記第２画像を表示する１フレーム期間を分割した複数のサブフレーム期間のうちの第３サブフレーム期間において前記複数の画素の各々を第３輝度で駆動し、かつ、前記第２画像を表示する１フレーム期間を分割した複数のサブフレーム期間のうちの前記第３サブフレーム期間とは異なる第４サブフレーム期間において前記複数の画素の各々を第４輝度で駆動することによって、前記第２階調で前記第１画像を表示し、  
前記第１輝度と前記第２輝度との輝度差は、予め定められた値以下であり、  
前記第３輝度と前記第４輝度との輝度差は、前記予め定められた値以下であり、  
前記第２サブフレーム期間が前記第１サブフレーム期間よりも後に位置する場合における前記第１輝度と前記第２輝度との大小関係は、前記第４サブフレーム期間が前記第３サブフレーム期間よりも後に位置する場合における前記第３輝度と前記第４輝度との大小関係と同一である  
表示装置。  
［Ｃ１１］  
画素が設けられた表示パネルと、所定の階調で画像を表示するための画素信号に基づいて前記画素を駆動することによって当該画像を表示する表示制御部とを備える表示装置が実行する方法であって、
前記画像を表示する１フレーム期間を分割した複数のサブフレーム期間のうちの第１サブフレーム期間において前記画素を第１輝度で駆動するステップと、  
前記画素信号に基づいて、前記複数のサブフレーム期間のうちの前記第１サブフレーム期間とは異なる第２サブフレーム期間において前記画素を第２輝度で駆動するステップと、  
前記第１輝度及び前記第２輝度に対応する前記所定の階調で前記画像を表示するステップと  
を具備し、  
前記第１輝度と前記第２輝度との輝度差は、予め定められた値以下である  
方法。  
［Ｃ１２］  
前記第１輝度と前記第２輝度との平均値は、前記所定の階調以外の階調で画像を表示する際の前記第１及び第２サブフレーム期間の各々における前記画素の輝度の平均値とは重複しない［Ｃ１１］記載の方法。  
［Ｃ１３］  
前記画素信号に基づいて表示すべき画像の階調が予め定められた範囲内にある場合、前記画像を表示する１フレーム期間を分割した複数のサブフレーム期間のうちの第１サブフレーム期間において前記画素を第１輝度で駆動し、前記複数のサブフレーム期間のうちの前記第１サブフレーム期間とは異なる第２サブフレームにおいて前記画素を前記第２輝度で駆動し、当該１フレーム期間の次の１フレーム期間を分割した複数のサブフレーム期間のうちの第３サブフレーム期間において前記画素を第３輝度で駆動し、前記次の１フレーム期間を分割した複数のサブフレーム期間のうちの第３サブフレーム期間とは異なる第４サブフレーム期間において前記画素を第４輝度で駆動するステップを具備し、  
前記第１輝度、前記第２輝度前記第３輝度及び前記第４輝度の各々の輝度差は、前記予め定められた値以下である  
［Ｃ１１］記載の方法。  
［Ｃ１４］  
前記駆動するステップは、  
前記画素信号に基づいて表示すべき画像の階調が予め定められた第１範囲内にあり、かつ、照度センサによって計測された前記表示装置の周辺の照度が予め定められた第２範囲内にある場合、前記第１サブフレーム期間において前記画素を前記第１輝度で駆動し、前記第２サブフレーム期間において前記画素を前記第２輝度で駆動し、前記第３サブフレーム期間において前記画素を前記第３輝度で駆動し、前記第４サブフレーム期間において前記画素を前記第４輝度で駆動するステップと、  
前記画素信号に基づいて表示すべき画像の階調が前記第１範囲内にない場合、または前記照度センサによって計測された前記表示装置の周辺の照度が前記第２範囲内にない場合、前記第１サブフレーム期間において前記画素を前記第１輝度で駆動し、前記第２サブフレーム期間において前記画素を前記第２輝度で駆動するステップと
を含む  
［Ｃ１３］記載の方法。  
［Ｃ１５］  
前記表示制御部は、前記画素を複数の輝度で駆動可能なように構成されており、  
前記画素を第１輝度で駆動するステップは、前記複数の輝度のうちの第１輝度で前記画素を駆動するステップを含み、  
前記画素を第２輝度で駆動するステップは、前記複数の輝度のうちの第２輝度で前記画素を駆動するステップを含み、  
前記表示するステップは、前記第１輝度及び前記第２輝度の組み合わせに応じた階調で前記画像を表示するステップを含む  
［Ｃ１］記載の方法。
［Ｃ１６］  
前記表示制御部は、５ビット以下の階調に対応する複数の輝度で前記画素を駆動可能なように構成されている［Ｃ１５］記載の方法。  
［Ｃ１７］  
前記表示パネルは、第１基板と、前記第１基板に対向する位置に配置された第２基板と、前記第１基板と前記第２基板との間に配置された液晶層とを含み、  
前記画素を駆動するステップは、前記液晶層に電圧を印加することによって前記画素を駆動するステップを含む  
［Ｃ１６］記載の方法。  
［Ｃ１８］  
前記液晶層は、筋状構造のポリマーを含む［Ｃ１７］記載の方法。  
［Ｃ１９］  
前記表示装置は、発光色が異なる複数の発光素子を備え、  
前記複数の発光素子からの光を前記液晶層に入射させるように、当該複数の発光素子を時分割で順次発光させるステップを更に具備し、  
前記画素を駆動するステップは、前記液晶層入射された光を射出するように前記画素を駆動するステップを含む  
［Ｃ１８］記載の方法。  
［Ｃ２０］  
複数の画素が設けられた表示パネルと、所定の階調で画像を表示するための画素信号に基づいて前記複数の画素を駆動することによって当該画像を表示する表示制御部とを備える表示装置が実行する方法であって、  
第１階調で第１画像を表示するための画素信号に基づいて、前記第１画像を表示する１フレーム期間を分割した複数のサブフレーム期間のうちの第１サブフレーム期間において前記複数の画素の各々を第１輝度で駆動するステップと、  
前記第１階調で前記第１画像を表示するための画素信号に基づいて、前記第１画像を表示する１フレーム期間を分割した複数のサブフレーム期間のうちの前記第１サブフレーム期間とは異なる第２サブフレーム期間において前記複数の画素の各々を第２輝度で駆動するステップと、  
前記第１輝度及び前記第２輝度に対応する前記第１階調で前記画像を表示するステップと、  
第２階調で第２画像を表示するための画素信号に基づいて、前記第２画像を表示する１フレーム期間を分割した複数のサブフレーム期間のうちの第３サブフレーム期間において前記複数の画素の各々を第３輝度で駆動するステップと、  
前記第２階調で前記第２画像を表示するための画素信号に基づいて、前記第２画像を表示する１フレーム期間を分割した複数のサブフレーム期間のうちの前記第３サブフレーム期間とは異なる第４サブフレーム期間において前記複数の画素の各々を第４輝度で駆動するステップと、  
前記第３輝度及び前記第４輝度に対応する前記第２階調で前記画像を表示するステップと  
を具備し、  
前記第１輝度と前記第２輝度との輝度差は、予め定められた値以下であり、  
前記第３輝度と前記第４輝度との輝度差は、前記予め定められた値以下であり、  
前記第２サブフレーム期間が前記第１サブフレーム期間よりも後に位置する場合における前記第１輝度と前記第２輝度との大小関係は、前記第４サブフレーム期間が前記第３サブフレーム期間よりも後に位置する場合における前記第３輝度と前記第４輝度との大小関係と同一である  
方法。
【０１３５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１３６】
ＤＳＰ…表示装置、ＰＮＬ…表示パネル、ＰＸ…画素、ＬＣ…液晶層、ＳＵＢ１…第１基板、ＳＵＢ２…第２基板、ＬＤ…発光素子、ＰＥ…画素電極、ＣＥ…共通電極、ＬＥ…液晶素子、２…表示制御コントローラ（表示制御部）、３１…ポリマー、３２…液晶分子、４１…走査回路、４２…信号出力回路、４３…共通電極駆動回路、４４…光源駆動回路（光源駆動部）。
【図１】
2020204698.tif 000006
【図２】
2020204698.tif 000007
【図３】
2020204698.tif 000008
【図４】
2020204698.tif 000009
【図５】
2020204698.tif 000010
【図６】
2020204698.tif 000011
【図７】
2020204698.tif 000012
【図８】
2020204698.tif 000013
【図９】
2020204698.tif 000014
【図１０】
2020204698.tif 000015
【図１１】
2020204698.tif 000016
【図１２】
2020204698.tif 000017
【図１３】
2020204698.tif 000018
【図１４】
2020204698.tif 000019
【図１５】
2020204698.tif 000020
【図１６】
2020204698.tif 000021
【図１７】
2020204698.tif 000022
【図１８】
2020204698.tif 000023
【図１９】
2020204698.tif 000024